【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
排ガスが通過する多孔質のフィルター基材に触媒成分が担持され、前記排ガスに含まれるＰＭ粒子を捕集するとともにその捕集したＰＭ粒子を酸化除去するＰＭ浄化装置の製造方法において、
前記フィルター基材に、親油基を持つ溶液を吸着させた状態で、活性酸素生成微粒子をコートし、さらに酸化触媒を含む前記触媒成分を担持することを特徴とするＰＭ浄化装置の製造方法。
【請求項２】
排ガスが通過する多孔質のフィルター基材に触媒成分が担持され、前記排ガスに含まれるＰＭ粒子を捕集するとともにその捕集したＰＭ粒子を酸化除去するＰＭ浄化装置の製造方法において、
前記フィルター基材に、無極性溶媒と金属アルコキシド溶液とを用いて前記金属の酸化物層を形成した後、その酸化物層の上に活性酸素生成微粒子をコートし、さらに酸化触媒を含む前記触媒成分を担持することを特徴とするＰＭ浄化装置の製造方法。
【請求項３】
前記酸化物層は、アルミナ、シリカ、ジルコニアあるいはこれらの酸化物を含む複合酸化物から構成されていることを特徴とする請求項２に記載のＰＭ浄化装置の製造方法。
【請求項４】
前記活性酸素生成微粒子は、還元雰囲気で活性酸素を生成する酸化物微粒子もしくは複合酸化物微粒子を含むことを特徴とする請求項１ないし３のいずれかに記載のＰＭ浄化装置の製造方法。
【請求項５】
前記活性酸素生成微粒子は、酸化マグネシウムやセリアあるいはセリアジルコニア複合酸化物の微粒子からなることを特徴とする請求項１ないし４のいずれかに記載のＰＭ浄化装置の製造方法。
【請求項６】
前記フィルター基材は、コージェライト、炭化ケイ素、不織布状のセラミック、ワイヤメッシュのいずれかからなる多孔質材であり、
前記触媒成分は、白金、パラジウム、ロジウムの少なくともいずれか一つと、バリウムと、セリアとのいずれかを含むことを特徴とする請求項１ないし５のいずれかに記載のＰＭ浄化装置の製造方法。
【手続補正２】
【補正対象書類名】明細書
【補正対象項目名】発明の名称
【補正方法】変更
【補正の内容】
【発明の名称】ＰＭ浄化装置の製造方法
【手続補正３】
【補正対象書類名】明細書
【補正対象項目名】０００１
【補正方法】変更
【補正の内容】
【０００１】
この発明は、ディーゼルエンジンなどの燃焼排ガスを浄化するための触媒を含む装置の製造方法に関し、特にその排ガス中に含まれるＰＭ粒子（すす状の炭素質粒子）を除去する触媒の製造方法に関するものである。
【手続補正４】
【補正対象書類名】明細書
【補正対象項目名】００１０
【補正方法】変更
【補正の内容】
【００１０】
この発明は上述した技術的課題に着目してなされたものであり、フィルター基材の外表面にＰＭ粒子が過剰に堆積することを防止することのできるＰＭ浄化装置の製造方法を提供することを目的とするものである。
【手続補正５】
【補正対象書類名】明細書
【補正対象項目名】００１１
【補正方法】変更
【補正の内容】
【００１１】
上記の目的を達成するために、請求項１の発明は、排ガスが通過する多孔質のフィルター基材に触媒成分が担持され、前記排ガスに含まれるＰＭ粒子を捕集するとともにその捕集したＰＭ粒子を酸化除去するＰＭ浄化装置の製造方法において、前記フィルター基材に、親油基を持つ溶液を吸着させた状態で、活性酸素生成微粒子をコートし、さらに酸化触媒を含む前記触媒成分を担持することを特徴とするものである。
【手続補正６】
【補正対象書類名】明細書
【補正対象項目名】００１２
【補正方法】変更
【補正の内容】
【００１２】
請求項２の発明は、排ガスが通過する多孔質のフィルター基材に触媒成分が担持され、前記排ガスに含まれるＰＭ粒子を捕集するとともにその捕集したＰＭ粒子を酸化除去するＰＭ浄化装置の製造方法において、前記フィルター基材に、無極性溶媒と金属アルコキシド溶液とを用いて前記金属の酸化物層を形成した後、その酸化物層の上に活性酸素生成微粒子をコートし、さらに酸化触媒を含む前記触媒成分を担持することを特徴とするＰＭ浄化装置の製造方法である。
【手続補正７】
【補正対象書類名】明細書
【補正対象項目名】００１３
【補正方法】変更
【補正の内容】
【００１３】
請求項３の発明は、請求項２の発明において、前記酸化物層は、アルミナ、シリカ、ジルコニアあるいはこれらの酸化物を含む複合酸化物から構成されていることを特徴とするＰＭ浄化装置の製造方法である。
【手続補正８】
【補正対象書類名】明細書
【補正対象項目名】００１４
【補正方法】変更
【補正の内容】
【００１４】
請求項４の発明は、請求項１ないし３のいずれかの発明において、前記活性酸素生成微粒子は、還元雰囲気で活性酸素を生成する酸化物微粒子もしくは複合酸化物微粒子を含むことを特徴とするＰＭ浄化装置の製造方法である。
【手続補正９】
【補正対象書類名】明細書
【補正対象項目名】００１５
【補正方法】変更
【補正の内容】
【００１５】
請求項５の発明は、請求項１ないし４のいずれかの発明において、前記活性酸素生成微粒子は、酸化マグネシウムやセリアあるいはセリアジルコニア複合酸化物の微粒子からなることを特徴とするＰＭ浄化装置の製造方法である。
請求項６の発明は、請求項１ないし５のいずれかの発明において、前記フィルター基材は、コージェライト、炭化ケイ素、不織布状のセラミック、ワイヤメッシュのいずれかからなる多孔質材であり、前記触媒成分は、白金、パラジウム、ロジウムの少なくともいずれか一つと、バリウムと、セリアとのいずれかを含むことを特徴とするＰＭ浄化装置の製造方法である。
【手続補正１０】
【補正対象書類名】明細書
【補正対象項目名】００１６
【補正方法】変更
【補正の内容】
【００１６】
請求項１の発明によれば、フィルター基材に親油基を持つ溶液を吸着させることにより、活性酸素生成微粒子を担持させる操作に対する前処理が行われたことになる。すなわち、前記溶液は、フィルター基材に対する親和性が高く、また表面をプラスに帯電させる。ここに活性酸素生成微粒子（酸化物粒子もしくは複合酸化物粒子）の金属元素をイオンもしくは錯イオンの溶液を接触させると、プラスに帯電したフィルター基材に前記イオンもしくは錯イオンが吸着し、その結果、均一に活性酸素生成微粒子を吸着させ、あるいは均一な活性酸素生成微粒子層を形成でき、それに伴い触媒成分同士の間に、フィルター基材の表面が直接露出した部分が生じることを防止もしくは抑制することができる。
【手続補正１１】
【補正対象書類名】明細書
【補正対象項目名】００１７
【補正方法】変更
【補正の内容】
【００１７】
また、請求項２の発明によれば、アルミニウムアルコキシドなどの金属アルコキシド溶液と無極性溶媒溶液とをフィルター基材に吸着させると、極性の比較的小さい部分（コージェライトではＳｉＯ2部分）に無極性溶媒の溶液が付着し、後工程で乾燥・焼成した場合にその部分にアルミナなどの金属酸化物が析出し、一方、親水性の部分（コージェライトではＭｇＯの部分あるいはＭｇＯＨの部分）では親水的な金属アルコキシドの加水分解が起こり、その部分にアルミナなどの金属酸化物が析出する。こうして、全体に均一なアルミナなどの金属酸化物層が形成され、そのため、その金属酸化物層を介して均一に活性酸素生成微粒子もしくは活性酸素生成微粒子層を設けることができる。
【手続補正１２】
【補正対象書類名】明細書
【補正対象項目名】００１８
【補正方法】変更
【補正の内容】
【００１８】
さらに、請求項３の発明によれば、請求項２の発明と同様の効果を得ることができる。
【手続補正１３】
【補正対象書類名】明細書
【補正対象項目名】００１９
【補正方法】変更
【補正の内容】
【００１９】
一方、請求項４の発明によれば、請求項１ないし３のいずれかの発明と同様の効果を得ることができる。
【手続補正１４】
【補正対象書類名】明細書
【補正対象項目名】００２０
【補正方法】変更
【補正の内容】
【００２０】
そして、請求項５の発明によれば、請求項１ないし４のいずれかの発明と同様の効果を得ることができる。
また、請求項６の発明によれば、請求項１ないし５のいずれかの発明と同様の効果を得ることができる。
【手続補正１５】
【補正対象書類名】明細書
【補正対象項目名】００２１
【補正方法】変更
【補正の内容】
【００２１】
この発明に係る方法によって製造されるＰＭ浄化装置は、ディーゼルエンジンなどの熱機関で発生した排ガスに含まれる粒状物質（ＰＭ粒子）を捕集するために、フィルター基材１０を備えている。その部分拡大図を図１に模式的に示してある。このフィルター基材１０は、従来のＤＰＦ（ディーゼルパティキュレートフィルター）やＤＰＮＲ（ディーゼルパティキュレートノックスリダクション）における基材と同様に、多孔質のセラミックから構成され、具体的には、コージェライト（２ＭｇＯ・２Ａｌ２Ｏ３・５ＳｉＯ2）や炭化ケイ素（ＳｉＣ）、あるいは不織布状のセラミック、ワイヤメッシュなどが使用される。